(57)【特許請求の範囲】
【請求項１】
パネル部に上下方向に撓み変形可能なバネ部を介してスイッチ押圧部を設け、このスイッチ押圧部の下方にスイッチを配置した押しボタン構造において、
前記パネル部にスイッチ用開口部を形成し、このスイッチ用開口部内に前記パネルと一体に一対のバネ部を形成し、この一対のバネ部によって前記スイッチ押圧部の両側を支持し、かつ前記一対のバネ部に孔をそれぞれ設け、この各孔内に上下方向の外力により変位しない凸部をそれぞれ配置し、この各凸部の上面を、前記パネル部及び前記バネ部の上面とほぼ同じ高さに設定したことを特徴とする押しボタン構造。
【発明の詳細な説明】
【０００１】
【発明の属する技術分野】
本発明は、パネル部のスイッチ押圧部を押圧すると、このスイッチ押圧部の下方への変位によってスイッチが操作される押しボタン構造に関する。
【０００２】
【従来の技術】
この種の従来の押しボタン構造としては、図４及び図５に示すものがあり、図４は押しボタン構造の斜視図、図５（Ａ）はその断面図、図５（Ｂ）は誤押圧された場合を示す断面図である。
【０００３】
図４，図５に示すように、押しボタン構造が適用されるパネル部１には平面略Ｕ字状のスイッチ用開口部２が形成されている。このスイッチ用開口部２には、パネル部１に一体的に固定されたバネ部３と、このバネ部３の先端に同じく一体的に固定されたスイッチ押圧部４とが配置されている。このスイッチ押圧部４の下方にはタクトスイッチＳＷが配置されている。
【０００４】
上記構成において、操作者がスイッチ押圧部４を押下すると、バネ部３が撓み変形してスイッチ押圧部４が下方に変位し、この下方に変位したスイッチ押圧部４がタクトスイッチＳＷを操作する。そして、操作者がスイッチ押圧部４の押圧をやめると、バネ部３が弾性復帰してスイッチ押圧部４が元の状態に戻るものである。
【０００５】
尚、この押しボタン構造に関する類似技術は、実開昭６３−１２０３２１号公報及び実開平４−６１３４号公報等に開示されている。
【０００６】
【発明が解決しようとする課題】
しかしながら、前記従来の押しボタン構造では、図５（Ｂ）に示すように、操作者がバネ部３を誤押圧した場合にもスイッチ押圧部４が下方に変位してスイッチＳＷが誤操作されるという問題がある。
【０００７】
また、バネ部３はスイッチ押圧部４の片側にしか配置されていないため、強度的にも問題がある。
【０００８】
そこで、本発明は、前記した課題を解決すべくなされたものであり、バネ部の誤押圧によるスイッチの誤操作を防止できる押しボタン構造を提供することを目的とする。また、本発明は、誤押圧によるスイッチの誤操作を防止すると共に、強度的にも強い構造である押しボタン構造を提供することを目的とする。
【０００９】
【課題を解決するための手段】
請求項１の発明は、パネル部に上下方向に撓み変形可能なバネ部を介してスイッチ押圧部を設け、このスイッチ押圧部の下方にスイッチを配置した押しボタン構造において、前記パネル部にスイッチ用開口部を形成し、このスイッチ用開口部内に前記パネルと一体に一対のバネ部を形成し、この一対のバネ部によって前記スイッチ押圧部の両側を支持し、かつ前記一対のバネ部に孔をそれぞれ設け、この各孔内に上下方向の外力により変位しない凸部をそれぞれ配置し、この各凸部の上面を、前記パネル部及び前記バネ部の上面とほぼ同じ高さに設定したことを特徴とする。
【００１０】
この押しボタン構造では、操作者が一対のバネ部を誤押圧すると、この押圧力を各凸部が受けることによって押圧力がバネ部に作用しない。また、スイッチ押圧部が両側の一対のバネ部で支持される。さらに、各凸部がパネル部の上方に突出せず、且つ、一対のバネ部が誤押圧されると直ちに各凸部で押圧力を受ける。
【００１５】
【発明の実施の形態】
以下、本発明の一実施形態を図面に基づいて説明する。
【００１６】
図１は本発明の一実施形態に係る押しボタン構造の斜視図、図２は図１のＡ−Ａ線断面図、図３は押圧された状態を示す断面図である。
【００１７】
図１〜図３に示すように、押しボタン構造が適用される合成樹脂製のケース１０の上方には合成樹脂製のパネル部１１が固定されている。このパネル部１１にはスイッチ用開口部１２が形成されている。このスイッチ用開口部１２には、パネル部１１と一体形成された一対のバネ部１３，１３と、スイッチ押圧部１４とが配置されている。
【００１８】
一対のバネ部１３，１３は、両端がパネル部１１に固定された第１支持部１５と、この第１支持部１５に一端が固定され、他端がスイッチ押圧部１４に固定された一対の第２支持部１６，１６とからそれぞれ構成され、この各バネ部１３は上下方向に撓み変形可能に構成されている。また、各バネ部１３の厚み寸法は、パネル部１１よりも薄く設定され、これにより撓み量や押圧力等が所望の値になるようになっている。各第２支持部１６の中央には略矩形の孔１７が形成され、この孔１７内にはケース１０から突出した凸部１８がそれぞれ配置されている。この凸部１８は上下方向の外力により変位せず、該凸部１８の上面はバネ部１３及びパネル部１１の上面とほぼ同じ高さに設定されている。
【００１９】
スイッチ押圧部１４は円板状を有し、上記一対のバネ部１３，１３によって左右両側で支持されている。また、スイッチ押圧部１４の中央はパネル部１１の上面よりも上方に突出しており、スイッチ押圧部１４が押下し易いようになっている。
【００２０】
タクトスイッチ（スイッチ）ＳＷは、スイッチ押圧部１４の下方の位置でケース１０に固定されている。このタクトスイッチＳＷは操作ロッド１９を有し、この操作ロッド１９がスイッチ押圧部１４の下面で押下されることによって操作されるようになっている。
【００２１】
上記構成において、図３の矢印で示すように、スイッチ押圧部１４が押下されると、一対のバネ部１３，１３が撓み変形してスイッチ押圧部１４が下方に変位し、この下方に変位したスイッチ押圧部１４がタクトスイッチＳＷを操作する。そして、操作者がスイッチ押圧部１４の押圧をやめると、バネ部１３が弾性復帰してスイッチ押圧部１４が元の状態を戻る。
【００２２】
図３に示すように、操作者がスイッチ押圧部１４ではなくバネ部１３を誤押圧すると、この押圧力を凸部１８が受けバネ部１３には押圧力が作用しない。従って、バネ部１３を誤押圧してもタクトスイッチＳＷを誤操作することがない。
【００２３】
また、この実施形態では、スイッチ押圧部１４が両側のバネ部１３で支持されるため、強度的に強く、スイッチ押圧部１４が左右バランス良く下方に変位してタクトスイッチＳＷが確実に操作される。
【００２４】
さらに、この実施形態では、凸部１８がバネ部１３やパネル部１１とほぼ同じ高さに設定されているので、凸部１８がパネル部１１より上方に突出しないため、パネル部１１の厚み方向の寸法が大きくならず、また、バネ部１３が誤押圧されると直ちに凸部１８で押圧力を受けるため、確実に誤操作を防止できる。即ち、凸部１８をパネル部１１よりも高く設定してもバネ部１３の誤押圧による誤操作を防止できるが、パネル部１１の厚み方向の寸法が大きくなり、押しボタン構造の大型化につながり、また、凸部１８をバネ部１３よりも低く設定してもバネ部１３の大きな撓み変形を防止できるが、ある程度の撓み変形を許容せざるを得えない。しかし、この実施形態のように凸部１８の高さを設定すれば、その双方の問題を解決できるものである。
【００２５】
尚、前記実施形態では、凸部１８はバネ部１３に対して１箇所にのみ設けられているが、バネ部１３の大きさや形状等によっては複数箇所にそれぞれ設け、誤押圧によってバネ部１３に押圧力が確実に作用しないように構成することが効果的である。
【００２６】
【発明の効果】
以上説明したように、請求項１の発明によれば、パネル部にスイッチ用開口部を形成し、このスイッチ用開口部内にパネルと一体に一対のバネ部を形成し、この一対のバネ部によってスイッチ押圧部の両側を支持し、かつ一対のバネ部に孔をそれぞれ設け、この各孔内に上下方向の外力により変位しない凸部をそれぞれ配置したので、操作者が一対のバネ部を誤押圧すると、この押圧力を各凸部が受けることによって押圧力がバネ部に作用しないため、スイッチの誤操作を確実に防止することができる。また、一対のバネ部と該一対のバネ部の孔に凸部がそれぞれ配置される構造を、スイッチ押圧部の両側にそれぞれ設けたので、スイッチ押圧部が両側の一対のバネ部で支持されるため、強度的に強く、また、スイッチ押圧部が左右バランス良く下方に変位してスイッチを確実に操作することができる。さらに、各凸部の上面をパネル部及びバネ部の上面とほぼ同じ高さに設定したので、各凸部がパネル部の上方に突出せず、且つ、一対のバネ部が誤押圧されると直ちに各凸部で押圧力を受けるため、パネル部の厚み方向の寸法を大きくすることなく、かつ誤操作を確実に防止することができる。
【図面の簡単な説明】
【図１】本発明の一実施形態に係る押しボタン構造の斜視図である。
【図２】図１のＡ−Ａ線断面図である。
【図３】本発明の一実施形態に係り、押圧された状態を示す断面図である。
【図４】従来例の押しボタン構造の斜視図である。
【図５】従来例を示し、（Ａ）はその断面図、（Ｂ）は誤押圧された場合を示す断面図である。
【符号の説明】
１１  パネル部
１３  バネ部
１４  スイッチ押圧部
１７  孔
１８  凸部
ＳＷ  タクトスイッチ（スイッチ）
【図１】
0003946383.tif 000002
【図２】
0003946383.tif 000003
【図３】
0003946383.tif 000004
【図４】
0003946383.tif 000005
【図５】
0003946383.tif 000006